(57)【要約】【課題】より確実に土砂の流出を抑えることを可能とする法面安定化装置を提供する。【解決手段】法面安定化装置１００は、法面１１に設置され、格子状に組まれる複数の棒状の法枠材１１０と、法枠材１１０からなる各格子において、傾斜方向の上側から法枠材１１０と地表面との間の隙間Ｓを埋めるように設置され、撓み変形可能な柔軟性を有する間詰め材１２０と、を備える。【選択図】図２
2020186547.tif 000002
【特許請求の範囲】
【請求項１】
法面に設置され、格子状に組まれる複数の棒状の法枠材と、
前記法枠材からなる各格子において、傾斜方向の上側から前記法枠材と地表面との間の隙間を埋めるように設置され、撓み変形可能な柔軟性を有する間詰め材と、を備えることを特徴とする法面安定化装置。
【請求項２】
前記複数の法枠材は、傾斜方向に沿って設置される縦軸材と、傾斜方向に直交する方向に沿って設置される横軸材とからなり、前記間詰め材は、前記横軸材の傾斜方向上側を向く面に接して配置されることを特徴とする請求項１に記載の法面安定化装置。
【請求項３】
前記間詰め材は、粒子状の充填体と、前記充填体を内包する筒状の袋体とからなることを特徴とする請求項１又は２に記載の法面安定化装置。
【請求項４】
前記充填体は、平均粒径１ｃｍ未満の粒子からなり、化学繊維、ウレタン樹脂、樹脂破砕材、土砂改良材、有機土壌材、現地発生土、木質材、生育基盤材、及び、これらの組み合わせから選択されることを特徴とする請求項３に記載の法面安定化装置。
【請求項５】
前記袋体は、植物の根系が通過することを許容する通根性を有することを特徴とする請求項３又は４に記載の法面安定化装置。
【請求項６】
前記充填体は、生育基盤材であり、
前記袋体は、
袋状又は筒状の第１の層と、
前記第１の層の外面に添着されている種子と、
前記種子を前記第１の層とで挟み込むように、前記第１の層の外面全体を被覆している第２の層と、を備え、
前記第１の層は、内部に前記生育基盤材を保持可能な非水解性を有し、且つ、前記種子から生えた根が通過することを許容する通根性を有し、
前記第２の層は、腐食性、分解性又は水解性シートからなり、経時とともに前記種子から発芽した植生植物の芽が通過することを許容する通芽性を有することを特徴とする請求項３から５のいずれか一項に記載の法面安定化装置。
【請求項７】
請求項１から６のいずれか一項に記載の法面安定化装置が法面に設置され、前記法面安定化装置の間詰め材の上面には、平坦部が形成されていることを特徴とする法枠構造。
【請求項８】
複数の棒状の法枠材を格子状に組んで法面上に設置する工程と、
撓み変形可能な柔軟性を有する複数の間詰め材を、前記法枠材からなる各格子において、傾斜方向の上側から前記法枠材と地表面との間を埋めるように設置する工程と、
を含むことを特徴とする法枠構造を構築する方法。
【発明の詳細な説明】
【技術分野】
【０００１】
本発明は、法面や斜面に設置されて土砂の流出を防止する法面安定化装置、法枠構造、及び、法枠構造を構築する方法に関する。
【背景技術】
【０００２】
従来、法面における雨水の集中流下を防ぐべく法面を安定化させたり、法面の美観の向上のために法面の植生緑化を促したりすることなどを目的として、格子状の法枠を法面に構築することが実施されている。法枠を構築する工法として、例えば、間伐材などの丸太が用いられる工法（丸太法枠工）が挙げられる。この丸太法枠工では、法面が植生で被覆され安定した後、丸太が腐植し自然の山に近い状態となり、環境、景観に優しいという利点がある。
【０００３】
当該工法に関連して、特許文献１は、法法面の安定化及び法面全体の緑化を実現し、美観を向上するとともに、間伐材を有効に利用する法枠工法を開示する。以下、当該段落において、（）内に特許文献１の符号を示す。特許文献１の法枠工では、複数の法枠接続器（２）を使用して、法枠用木材（３）を格子状に組むことにより法面（１）の安定化を施した法面構造を構築する。具体的には、法枠接続器（２）は、法枠用木材（３）の端部同士を接続するための開口部を備えた筒体からなり、該筒体が十文字状、Ｌ文字状又はＴ文字状に形成している。そして、各法枠接続器（２）を構成する筒体の開口部に丸棒状の法枠用木材（３）の端部を接続し、格子状に複数個の枠体（４）を形成している。各枠体（４）の交点である法枠接続器の中央にはアンカー（５）を打設し、法面（１）に固定している。法枠用木材（３）は、長尺の丸棒状の間伐材（Ｋ）を、所定の長さに切断して形成され、必要に応じて、法枠接続器（２）の開口部に挿入可能なようにその端部を削り、法枠用木材（３）を法枠接続器（２）の開口部に挿入し、固定のため釘（７）を打ち付ける。そして、枠体（４）を組み終わった箇所から又は組みながら適宜アンカー（５）を打設して、枠体（４）を法面（１）に固定する。
【先行技術文献】
【特許文献】
【０００４】
【特許文献１】特開２００１−３２９５４１号公報
【発明の概要】
【発明が解決しようとする課題】
【０００５】
特許文献１のような従来の法枠構造では、自然の法面に凹凸が存在することから、横方向の法枠用木材が地面に接することなく、法枠用木材と地面との間に隙間が生じる。特に、法面や斜面が地山である場合、いくら整地しても凹凸を除去することは一般的に不可能である。そして、法枠木材と地表面との間の隙間が、雨水などの地表面を流れる表面水の通り道となり、その隙間を通して、表面水が速い流速のままで傾斜方向に沿って流れて、表面水とともに多くの表面土砂が下流に流出することが問題であった。そして、このような表面土砂の洗掘による浸食害が拡大すると、最悪の場合、法面の崩落に発展する虞があった。すなわち、従来の法枠構造では、法枠が雨水分散や表面水の流速軽減を十分に発揮することができず、土壌の浸食や流亡を十分に防ぐことができないことが課題であった。
【０００６】
本発明は、上記課題を解決するためになされたものであり、その目的は、より確実に土砂の流出を抑えることを可能とする法面安定化装置、法枠構造、及び、法枠を法面に構築する方法を提供することにある。
【課題を解決するための手段】
【０００７】
請求項１に記載の法面安定化装置は、
法面に設置され、格子状に組まれる複数の棒状の法枠材と、
前記法枠材からなる各格子において、傾斜方向の上側から前記法枠材と地表面との間の隙間を埋めるように設置され、撓み変形可能な柔軟性を有する間詰め材と、を備えることを特徴とする。
【０００８】
請求項２に記載の法枠安定化装置は、請求項１に記載の法枠安定化装置において、前記複数の法枠材は、傾斜方向に沿って設置される縦軸材と、傾斜方向に直交する方向に沿って設置される横軸材とからなり、前記間詰め材は、前記横軸材の上面に接して配置されることを特徴とする。
【０００９】
請求項３に記載の法枠安定化装置は、請求項１又は２に記載の法枠安定化装置において、前記間詰め材は、粒子状の充填体と、前記充填体を内包する筒状の袋体とからなることを特徴とする。
【００１０】
請求項４に記載の法枠安定化装置は、請求項３に記載の法枠安定化装置において、前記充填体は、平均粒径１ｃｍ未満の粒子からなり、化学繊維、ウレタン樹脂、樹脂破砕材、土砂改良材、有機土壌材、現地発生土、木質材、及び、これらの組み合わせから選択されることを特徴とする。
【００１１】
請求項５に記載の法枠安定化装置は、請求項３又は４に記載の法枠安定化装置において、前記袋体は、植物の根系が通過することを許容する通根性を有することを特徴とする。
【００１２】
請求項６に記載の法枠安定化装置は、請求項３から５のいずれかに記載の法枠安定化装置において、前記袋体は、生育基盤材を内包可能な袋状又は筒状の第１の層と、前記第１の層の外面に添着されている種子と、前記種子を前記第１の層とで挟み込むように、前記第１の層の外面全体を被覆している第２の層と、を備え、前記第１の層は、内部に前記生育基盤材を保持可能な非水解性を有し、且つ、前記種子から生えた根が通過することを許容する通根性を有し、前記第２の層は、腐食性、分解性又は水解性シートからなり、経時とともに前記種子から発芽した植生植物の芽が通過することを許容する通芽性を有することを特徴とする。
【００１３】
請求項７に記載の法枠構造は、請求項１から６のいずれか一項に記載の法面安定化装置が法面に設置され、前記法面安定化装置の間詰め材の上面には、平坦部が形成されていることを特徴とする。
【００１４】
請求項８に記載の法枠構造を構築する方法は、複数の棒状の法枠材を格子状に組んで法面上に設置する工程と、
撓み変形可能な柔軟性を有する複数の間詰め材を、前記法枠材からなる各格子において、傾斜方向の上側から前記法枠材と地表面との間を埋めるように設置する工程と、
を含むことを特徴とする。
【発明の効果】
【００１５】
請求項１に記載の法枠安定化装置によれば、法枠材からなる各格子において、間詰め材が傾斜方向の上側から法枠材と地表面との間を埋めるように構成されている。間詰め材は、撓み変改可能な柔軟性を有し、地表面の凹凸に追従するように変形可能であることから、法枠材と地表面との間の隙間を確実に埋めて、法枠材と地表面との間に表面水の通り道が形成されることを防ぐことができる。すなわち、本発明の法枠安定化装置は、法枠材が表面水の分散効果や流速軽減効果をより確実に発揮することを可能とし、その結果として、法面の土砂の流失を効果的に抑えることができる。
【００１６】
請求項２に記載の法枠安定化装置によれば、請求項１に記載の発明の効果に加えて、横軸材が傾斜方向に直交する方向に沿って設置され、横軸材の傾斜方向上側を向く面に接して間詰め材が配置されることにより、横軸材の上側から下側に連通する表面水の通り道が形成されることが選択的に防止される。すなわち、傾斜方向に沿って設置される縦軸材に対して間詰め材を設置することが不要であることから、法面安定化工事に要する資材量及び施工量を節約することができる。さらに、横軸材とともに間詰め材が水平方向に延びるので、表面水が水平方向に分散されて、流水の勢いを効果的に削ぐことができる。
【００１７】
請求項３に記載の法枠安定化装置によれば、請求項１又は２に記載の発明の効果に加えて、間詰め材を筒状の袋体に充填材を内包する構成としたことにより、間詰め材を法枠材に沿わせて載置するだけで隙間を埋めるように設置することができる。すなわち、本発明の法枠安定化装置は、法面安定化工事の施工性を容易にするものである。
【００１８】
請求項４に記載の法枠安定化装置によれば、請求項３に記載の発明の効果に加えて、充填体を平均粒径１ｃｍ未満の粒子としたことにより、内部に水分を含みつつ、傾斜方向下方に流れる表面水が流速を維持したまま間詰め材を通り抜けることが防止される。すなわち、間詰め材は、傾斜方向に流れる表面水の一部を堰止め、側方に分散させて、表面水の流速軽減効果を効果的に発揮することができる。
【００１９】
請求項５に記載の法枠安定化装置によれば、請求項３又は４に記載の発明の効果に加えて、袋体が通根性を有することにより、植物の種子が袋体の内部に根を張って、間詰め材を緑化することができる。間詰め材の緑化により、景観の向上とともに流出防止の効果を強化することができる。
【００２０】
請求項６に記載の法枠安定化装置によれば、請求項３から５のいずれかに記載の発明の効果に加えて、間詰め材の袋体において、通根性を有する第１の層とその外面を覆う通芽性を有する第２の層との間に植生植物の種子が添着されている。第２の層が種子から発芽した植生植物の芽の通過を許容するように構成されているので、種子からの出芽が妨げられることがない。また、種子が第２の層によって保護されているので、第２の層の存在時には、植生袋から流れ落ちる虞がほとんどない。そして、第１の層外面に種子が添着されているので、比較的強い流水によっても種子が流れ落ちることが抑えられる。他方、第１の層は、内部に生育基盤材を維持保持可能であり、且つ、種子から生えた根が通過することを許容する。また、第１の層は、非水解性を有し、降雨によって短期間で分解（水解）されることがないため、第１の層が長期間に亘って袋状又は筒状の原形を維持することができる。これにより、経時による種子や生育基盤材の流亡を抑えるとともに、生育基盤材の植生袋内での流動を抑え、生育基盤材を長期に亘って内部に安定的に維持することができる。その結果、間詰め材の緑化を促進することができる。
【００２１】
請求項７に記載の法枠構造によれば、請求項１から６に記載の発明の効果を法枠構造として発揮することできる。また、間詰め材の上面が平坦部（又は水平面）を形成され、飛来種子を平坦部に捕捉可能である。これにより、間詰め材をその土地の自生植物で効率的に緑化することができる。
【００２２】
請求項８に記載の法枠構造を構築する方法によれば、法枠材からなる各格子において、間詰め材が傾斜方向の上側から法枠材と地表面との間を埋めるように、間詰め材を設置する。この間詰め材は、撓み変改可能な柔軟性を有し、地表面の凹凸に追従するように変形可能であることから、法枠材と地表面との間の隙間を確実に埋めて、法枠材と地表面との間に表面水の通り道が形成されることを防ぐことができる。すなわち、本発明の方法によって構築された法枠構造は、法枠材が表面水の分散効果や流速軽減効果をより確実に発揮することを可能とし、その結果として、法面の土砂の流失を効果的に抑えることができる。
【図面の簡単な説明】
【００２３】
【図１】本発明の一実施形態の法枠構造の概略斜視図。
【図２】図１の法枠構造を模式的に示す側面図。
【図３】図１の法面構造において、表面水を堰止める形態を示した模式図。
【図４】図１の法面構造において、飛来種子を捕捉する形態を示した模式図。
【図５】図１の法枠構造を構成する法枠材接続具を示す概略図。
【図６】本発明の一実施形態の法枠構造を構築する方法において、法枠材を接続する工程を示す模式図。
【図７】図１の法枠構造を構成する間詰め材の一例を示す図。
【図８】本発明の別実施形態の法面構造（又は法面安定化装置）の概略図。
【図９】図８の法面構造の概略側面図。
【発明を実施するための形態】
【００２４】
以下、本発明の実施形態について図面を参照しつつ説明する。なお、以下の説明において参照する各図の形状は、好適な形状寸法を説明する上での概念図又は概略図であり、寸法比率等は実際の寸法比率とは必ずしも一致しない。つまり、本発明は、図面における寸法比率に限定されるものではない。
【００２５】
本実施形態の法面安定化装置１００は、法面１１に法枠を構築し、法面１１の地表面を安定化して法面１１の崩落等を防止する用途に用いられる。図１は、本発明の一実施形態の法枠構造１０を示している。法枠構造１０は、法面安定化装置１００が法面１１に設置されることにより、法枠が法面１１上に構築された構造体である。本明細書において、法面１１における上側から下側にかけて最も傾斜勾配が大きくなる方向を傾斜方向（又は縦軸方向）と定めた。他方、この傾斜方向に直交して傾斜勾配がほぼ０になる方向を、水平方向（又は横軸方向）と定めた。つまり、雨水などの法面１１地表面を流れる表面水は傾斜方向に沿って法面１１の上方から下方に自然に流れ落ちる。また、本実施形態では、法面１１は、地山を整地したものであり、地表に大小の多くの凹凸を有する。さらに、法面１１は、地山の表土が露出していてもよく、または、植生シート又は植生マットが敷設されていてもよいが、本実施形態では、説明の便宜上、地山表面には植生シート等を描写しない。
【００２６】
図１に示すように、法面安定化装置１００は、法面１１に設置され、格子状に組まれた複数の棒状の法枠材１１０と、該法枠材１１０からなる各格子において所定位置に設置される複数の間詰め材１２０とを備える。
【００２７】
図１に示すように、複数の法枠材１１０は、傾斜方向に沿って設置される縦軸材１１１と、傾斜方向に直交する水平方向に沿って設置される横軸材１１２とからなる。つまり、縦軸材１１１は傾斜勾配が最大となる縦軸方向に沿って配置され、横軸材１１２は傾斜勾配が最小（又はほぼ０）となる横軸方向に沿って配置される。図１の法枠構造１０では、複数の縦軸材１１１及び横軸材１１２が直交するように組まれて、複数の正方形又は長方形の格子が法面１１上に形成されることにより、法面１１の安定化を担っている。なお、縦軸材１１１及び横軸材１１２は、法枠材接続具１３０によって直交して連結される。
【００２８】
本実施形態では、法枠材１１０は、間伐材から製造された木材の丸太である。一般的に、法枠材１１０は、間伐材から製造されたことから、表面に凹凸を有し、その太さや長さの点で一様ではない。一方で、法枠材１１０に間伐材を利用することは、環境保全につながるとともに、法面１１が植生で被覆されて安定した後、法枠１２を構成する法枠材１１０が腐植して自然の山に近い状態となることから、景観形成の点でも利点がある。しかしながら、本発明の法枠材は、木材の丸棒に限定されず、種々の棒状部材から選択され得る。例えば、法枠材は、樹脂製や金属製の角棒であってもよい。
【００２９】
間詰め材１２０は、撓み変形可能な柔軟性を有し、軸状に延びる筒体又は袋体として構成されている。間詰め材１２０は、地山の地表面の凹凸形状に追従して変形することができる適度な柔軟性を有する。また、各間詰め材１２０は、法枠材１１０の格子の横辺に相当する長さを有し、施工性の点から１つの間詰め材１２０で横軸材１１２に軸方向全体に亘って接することが可能であることが好ましい。本実施形態では、間詰め材１２０は、粒子状の充填体１２１と、充填体１２１を内包する筒状の袋体１２２とからなる。充填体１２１は、好ましくは、平均粒径１ｃｍ未満の粒子からなり、化学繊維、ウレタン樹脂、樹脂破砕材、土砂改良材、有機土壌材、現地発生土、木質材、生育基盤材、及び、これらの組み合わせから選択され得る。すなわち、間詰め材１２０は、少なくとも、流水が流速を維持しながら内部を通過することを防ぐ所定の密実性を有している。袋体１２２は、好ましくは、植物の根系が通過することを許容する通根性を有する、不織布や織布から形成され得る。これにより、間詰め材１２０自体を緑化することが可能となる。
【００３０】
各間詰め材１２０は、図１に示すように、法枠材１１０からなる各格子において、傾斜方向の上側から法枠材１１０と地表面との間の隙間を埋めるように設置される。より具体的には、縦軸材１１１及び横軸材１１２からなる格子のうちの横軸材１１２の上側を向く面に接して間詰め材１２０が配置される。
【００３１】
図２は、法枠構造１０の側面模式図である。図２に示すように、法面１１の地表面には大小の凹凸が存在し、法枠材１１０（または横軸材１１２）と地表面との間には、隙間Ｓが形成されている。この隙間Ｓは横軸材１１２の軸方向に亘ってランダムに形成される。そして、この隙間Ｓが、法面１１の地表面を流れ落ちる表面水の通り道となる。図２に示すように、間詰め材１２０は、法面１１に載置されるとともに横軸材１１２の傾斜方向上側を向く面に接し、横軸材１１２の外面形状及び地表面の凹凸形状に追従するように柔軟に変形している。すなわち、間詰め材１２０が横軸材１１２外面と地表面に対して隙間無く接している。その結果、間詰め材１２０によって隙間Ｓが外部に露出することなく覆われて、表面水の通り道となり得る隙間Ｓが確実に閉塞されている。また、間詰め材１２０は、上面に平坦部１２３を有するように変形している。この平坦部１２３は、鉛直方向上側を向く略水平面である。つまり、平坦部１２３は、法面１１の平均勾配を減少させて、地表面を流れる表面水の流速を軽減するように機能する。
【００３２】
図３は、法面構造１０における表面水の分散効果や流速軽減効果を示す模式図である。図３に示すように、法面１１の傾斜面を流れる表面水は、一旦、間詰め材１２０の平坦部１２３に乗り上がって横軸方向に逸れるように分散する。さらに、間詰め材１２０の充填体が所定の密実性を有するので、一部の表面水を吸水し、一部の表面水を平坦部１２３上に一時的に維持する。そして、表面水は、間詰め材１２０内部を通過して隙間Ｓを通るもの、及び、平坦部１２３上を通るものの二手に分岐する。すなわち、法枠構造１０では、単純に法面１１を落下する表面水と比べて、表面水が一点に集中しないように分散し、尚且つ、表面水の流速が十分に軽減される。その結果、流水による法面１１の地表面の土壌の浸食が効果的に抑えられる。
【００３３】
図４（ａ），（ｂ）は、法面構造１０における間詰め材１２０の緑化効果を示す模式図である。図４（ａ）に示すように、間詰め材１２０は、略水平面を形成する平坦部１２３を有するので、当該平坦部１２３に自生飛来種子を効果的に捕捉することができる。例えば、表面水によって法面１１の傾斜部分を流れる種子を、流速が落ちた平場で捕捉し、経時とともに種子が根付くことによって、図４（ｂ）に示すように、間詰め材１２０自体を効果的に緑化することができる。
【００３４】
図５は、法枠構造１０を構成する法枠材接続具１３０の展開形態の概略平面図である。図５に示すとおり、法枠材接続具１３０は、撓み変形可能な柔軟性を有するシート状の材質からなるシート体１３１を備える。シート体１３１は、硬質の合成樹脂で一体的に成形された網状体からなる。このシート体１３１は、合成樹脂で一体成形された所謂「編まないネット」として形成されているため、線材を編んで形成したネットよりも強度及び耐久性が高い。このようなネットは、テンサー（登録商標）シートとも呼称されている。本実施形態では、合成樹脂として、剛性及び加工性に優れたポリプロピレンを用いた。しかしながら、本発明はこれに限定されず、当業者であれば、高密度ポリエチレン（ＨＤＰＥ）、ポリカーボネート、ＡＢＳ樹脂等の可撓性及び柔軟性を有する他の合成樹脂を任意に選択可能である。あるいは、シート体は、可撓性及び柔軟性を有していれば、硬質ゴムや金属（金網）等を使用することも可能であり、さらには、不織布シートなどの網状体以外の形態から選択されてもよい。
【００３５】
シート体１３１は、法枠材１１０の周囲に巻き付いて法枠材１１０を把持する複数の把持部１３２、複数の把持部１３２を相互に接続する接続部１３３、及び、法面１１に固定される被固定部１３４を有する。より具体的には、本実施形態において、接続部１３３は、シート体１３１の中央の十字形状領域である。そして、接続部１３３の４本の肢部の先端には、その延在方向に直交して延びる帯状の領域がそれぞれ設けられている。当該帯状の領域が把持部１３２として定められる。すなわち、複数の把持部１３２が、接続部１３３を中心に、その放射方向に配列している。各把持部１３２は、法枠材１１３の外面に巻き付くように筒状に撓み変形可能である。把持部１３２は、法枠材１１０の周囲長の半分以上の長さを有することが好ましい。さらには、把持部１３２は、法枠材１１０に巻かれたときに、その自由端が法枠材１１０の下面に巻き込まれる程度の長さを有してもよい。また、接続部１３３の中央には、アンカー部材（図６参照）によって法面１１に固定される被固定部１３４が配置されている。被固定部１３４は、網状のシート体１３１の一部であり、網の隙間にアンカー部材１３６を打ち込むことによって、シート体１３１を法面１１に固定することができる。なお、被固定部１３４は、シート体１３１を法面１１に固定可能な箇所であれば、いずれの部位に設けられてもよい。さらに、各把持部１３２には、把持部１３２を法枠材１１０の周囲に巻き付けた状態に維持する締結具１３５が取着されている。
【００３６】
次に、本実施形態の法枠構造１０を構築する方法について説明する。法枠構造１０を構築する方法は、複数の棒状の法枠材１１０を格子状に組んで法面１１上に設置する工程と、撓み変形可能な柔軟性を有する複数の間詰め材１２０を、法枠材１１０からなる各格子において、傾斜方向の上側から法枠材１１０と地表面との間を埋めるように設置する工程と、を含む。
【００３７】
まず、安定化する法面１１の面積に合わせて必要数の法枠材１１０、及び、法枠材接続具１３０を準備する。本実施形態では、１つの法枠材接続具１３０が４本の法枠材１１０を接続する。そして、法枠材接続具１３０のシート体１３１を展開形態で法面１１に敷設する。複数のシート体１３１は、法枠１２の格子の大きさ（法枠材１１０の長さ）に応じて、ほぼ等間隔で縦横に規則的に配列される。次いで、各シート体１３１の被固定部１３４をアンカー部材１３６を介して法面１１に固定する。なお、法面１１の崩落防止のために金網や植生シートなどを法面１１に事前に敷設してもよい。次に、各シート体１３１の把持部１３２及び接続部１３３の肢部の上に法枠材１１０をそれぞれ載置する。このとき、隣接する法枠材１１０は、接続部１３３の中心領域で隙間を形成するように配置される。この隙間の大きさは、任意に定められる。また、法枠材１１０は、隣接するシート体１３１（法枠材接続具１００）の２つの把持部１３２の間に架け渡される。続いて、複数の把持部１３２で複数の法枠材１１０をそれぞれ把持すべく、各把持部１３２を各法枠材１３０の周囲に巻き付けるように変形する。締結具１３５を操作して、フックをシート体１３１の一部に掛け止めて、把持部１３５を法枠材１１０の周囲に巻き付けた状態に維持する。全ての把持部１３２及び法枠材１１０について、把持及び締結作業を実施する。これにより、縦横の格子状の法枠を法面１１に構築することができる。
【００３８】
次いで、法枠の横軸材１１２に対応する数の間詰め材１２０を準備する。ここで、縦軸材１１１は傾斜方向に延びているので、縦軸材１１１の分の間詰め材１２０を準備する必要がない。法枠の各格子において、間詰め材１２０を横軸材１１２の傾斜方向上側を向く面に押し付けるようにして配置する。このとき、間詰め材１２０を横軸材１１２及び地表面に押し付けて、間詰め材１２０と対象との間に隙間が生じないように間詰め材１２０を潰して変形させる。同時に、間詰め材１２０の上面に平坦部１２３を形成するようにして、間詰め材１２０を手で成形する。そして、間詰め材１２０をアンカー（図示せず）で地面に固定する。全ての横軸材１１２に隣接して間詰め材１２０を固定することにより、法枠構造１０を構築することができる。
【００３９】
以下、本発明の一実施形態の法面安定化装置１００及び法枠構造１０の作用効果について説明する。
【００４０】
本実施形態の法面安定化装置１００及び法枠構造１０によれば、法枠材１１０からなる各格子において、間詰め材１２０が傾斜方向の上側から法枠材１１０と地表面との間の隙間Ｓを埋めるように構成されている。間詰め材１２０は、撓み変改可能な柔軟性を有し、地表面の凹凸に追従するように変形可能であることから、法枠材１１０と地表面との間の隙間を確実に埋めて、法枠材１１０と地表面との間に表面水の通り道が形成されることを効果的に防ぐことができる。すなわち、本発明の法枠安定化装置１００及び法枠構造１０は、法枠材１１０が表面水の分散効果や流速軽減効果をより確実に発揮することを可能とし、その結果として、法面１０の土砂の流失を効果的に抑えることができる。
【００４１】
本発明は、上記実施形態に限定されず、種々の実施形態や変形例を取り得る。以下、本発明の変形例を説明する。なお、図面において、符番が共通する構成要素に関しては、特別な説明がない限り、同一又は類似の特徴を有する。
【００４２】
［別実施形態１］
本発明において、間詰め材はより機能的であってもよい。例えば、図７に示すように、間詰め材１２０’は、充填体として生育基盤材１２１’と、袋体として植生袋１２２’を備え得る。植生袋１２２’は、生育基盤材１２１を内包可能な内部空間を定める第１の層１２２ａと、該第１の層１２２ａの外面に添着されている種子１２２ｃと、該種子１２２ｃとともに第１の層１２２ａの外面全体を被覆している第２の層１２２ｂとを備える。第２の層１２２ｂは第１の層１２２ａ外面に接着されており、両者の間にほとんど隙間がないように第１及び第２の層１２２ａ、１２２ｂが互いに接合されている。すなわち、第１の層１２２ａが植生袋１２２の内層を構成し、第２の層１２２ｂが植生袋１２２’の外層を構成し、第１の層１２２ａと第２の層１２２ｂとの間に植生植物の種子１２２ｃが挟み込まれている。種子１２２ｃは、移動しないように層間に保持されている。なお、種子１２２ｃとともに土壌、肥料、保水材、土壌菌などを混合して保持してもよい。
【００４３】
第１の層１２２ａは、非水解性シートからなり、降雨によっても原形を維持可能に構成されている。特には、植生袋１２２’の内容物を長期に亘って流出させないため、施工後少なくとも３ヶ月はその形状を維持できる非水解性を有する素材で第１の層１２２ａが形成されている。これにより、第１の層１２２ａは、長期に亘って内部に生育基盤材１２１’を保持可能である。また、第１の層１２２ａは、内部の生育基盤材１２１’の流出を抑えるとともに、（複数又は多数の）種子１２２ｃから生えた根が通過することを許容する通根性を有する素材（根が通過可能な隙間を有する非水解性シート又はメッシュ状の非水解性シート）で構成されている。すなわち、第１の層１２２ａは、生育基盤材１２１’が第１の層１２２ａを通過して外部に流出することを抑えつつ、種子１２２ｃから生えた根が通過可能な隙間（目合い又は開口）を有している。例えば、第１の層１２２ａは、不織布、織布、紙（非水解性）、非水溶性フィルム、網状体又はこれらの組み合わせから選択され得る。
【００４４】
第２の層１２２ｂは、経時とともに種子１２２ｃから発芽した植生植物の芽が通過することを許容するように構成されている。本実施形態では、第２の層１２２ｂは、水解性（水溶性、水脆弱性）シートからなる。水解性シートは、降雨により水解する、又は、水溶する等、設置後に短期間（１〜数回の降雨）で容易にその形状や強度を失うことができるものである。該第２の層１２２ｂは、腐食性又は分解性シートであってもよい。腐食性又は分解性シートは、設置後、短期間（１〜３ヶ月以内）で分解又は腐植して原形を留めないものである。また、本実施形態の第２の層１２２ｂは、有意な隙間（網目、目合い）を有していない。しかしながら、第１の層１２２ａと第２の層１２２ｂの間に種子１２２ｃを挟み込んで保持することが可能であれば、第２の層１２２ｂに多数の開口が形成されていてもよい。例えば、第２の層１２２ｂは、水解性の不織布、水解性の織布、水溶性フィルム、紙又はこれらの組み合わせ等から選択可能である。
【００４５】
当該間詰め材１２０’によれば、経時による種子１２２ｃや生育基盤材１２１’の流亡を抑えるとともに、生育基盤材１２１の植生袋１２２’内での流動を抑え、生育基盤材１２２’を長期に亘って内部に安定的に維持することができる。これにより、間詰め材１２０’の緑化をより促進することが可能である。
【００４６】
［別実施形態２］
本発明の間詰め材は、袋状又は筒状の形態に限定されない。図８及び図９は、別形態の間詰め材２２０による法枠構造２０及び法面安定化装置２００を示している。図８に示すように、間詰め材２２０は、充填用シート２２１と、該充填用シート２２１を支持する支持枠２２２とを備えてなる。充填用シート２２１は、縦軸方向に所定の幅を有するとともに、法枠材２１０の横軸材２１２の長さ方向に沿って延びる帯状のシート体である。充填用シート２２１は不織布シートからなってもよい。不織布は、水分を吸収するが、表面水をそのままの流速で通過させることがない。他方、支持枠２２２は、合成樹脂で一体的に成形された網状体からなる。この支持枠２２２は、合成樹脂で一体成形された所謂「編まないネット」として形成されているため、線材を編んで形成したネットよりも強度及び耐久性が高い。このネットは、ネトロン（登録商標）シートとも呼称されている。
【００４７】
図９に示すように、支持枠２２２は、２つに折り曲げられ、その間に充填用シート２２１を挟み込むことによって、充填用シート２２１を支持している。この支持枠２２２は、法枠材２１０又は法面２１に固定されてもよい。他方、充填用シート２２１は、アンカー等によって法面２１に固定されている。充填用シート２２１は、地表面に接するとともに、法面２１の傾斜方向の上側から横軸材２１２の外面を覆っている。これにより、法枠材２１０と地表面との間の隙間Ｓが外部に露出することなく、充填用シート２２１によって覆われて、表面水の通り道となり得る隙間Ｓが確実に閉塞されている。また、間詰め材２２０は、上面に平坦部２２３を有するように設置されている。この平坦部２２３は、鉛直方向上側を向く略水平面である。つまり、平坦部２２３は、法面２１の平均勾配を減少させて、地表面を流れる表面水の流速を軽減するように機能する。
【００４８】
したがって、本実施形態の法枠構造２０及び法面安定化装置２００は、上記実施形態と同様に、法枠材２１０が表面水の分散効果や流速軽減効果をより確実に発揮することを可能とし、その結果として、法面２０の土砂の流失を効果的に抑えることができる。
【００４９】
なお、本発明は上述した複数の実施例に限定されるものではなく、本発明の技術的範囲に属する限りにおいて種々の態様で実施しうるものである。
【符号の説明】
【００５０】
１０              法枠構造
１１              法面
１００            法面安定化装置
１１０            法枠材
１１１            縦軸材
１１２            横軸材
１２０            間詰め材
１２１            充填体
１２２            袋体
１２３            平坦部
１３０            法枠材接続具
１３１            シート体
１３２            把持部
１３３            接続部
１３４            被固定部
１３５            締結具
【図１】
2020186547.tif 000003
【図２】
2020186547.tif 000004
【図３】
2020186547.tif 000005
【図４】
2020186547.tif 000006
【図５】
2020186547.tif 000007
【図６】
2020186547.tif 000008
【図７】
2020186547.tif 000009
【図８】
2020186547.tif 000010
【図９】
2020186547.tif 000011